(57)【特許請求の範囲】
【請求項１】
河川・港湾・湖沼の護岸壁を構築するために用いられる擬岩形状を有する一体成形コンクリートブロックであって、メッシュから成る透水袋内に水質浄化材を収容して浄化材パッケージを形成し、該浄化材パッケージは湿潤コンクリートを成形型の擬岩成形腔部内に型込めして擬岩コンクリートブロックを成形する際に該湿潤コンクリート内に投入されて上記一体成形コンクリートブロック内に埋設され、上記透水袋及び該透水袋内面と接する表層部の水質浄化材がメッシュを通し浸潤した上記湿潤コンクリートのセメント成分によって上記一体成形コンクリートブロックと一体結合した埋設構造を有し、該浄化材パッケージの透水袋を形成するメッシュの一部がコンクリートブロック表面に露出して水と直接接触する構造を有することを特徴とする護岸用一体成形コンクリートブロック。
【請求項２】
河川・港湾・湖沼の護岸壁を構築するために用いられる擬岩形状を有する一体成形コンクリートブロックであって、メッシュから成る透水袋内に水質浄化材を収容して浄化材パッケージを形成し、該浄化材パッケージは湿潤コンクリートを該擬岩成形腔部内に型込めして擬岩コンクリートブロックを成形する際に該型込めされた湿潤コンクリートの上面に載置するか又は擬岩成形腔部の内面に沿い添設して上記一体成形コンクリートブロックの外表面に層着され、上記透水袋及び該透水袋内面と接する表層部の水質浄化材がメッシュを通し浸潤した上記湿潤コンクリートのセメント成分によって上記一体成形コンクリートブロックと一体結合した層着構造を有し、該浄化材パッケージの透水袋を形成するメッシュが該層着部以外の周面において水と直接接触する構造を有することを特徴とする護岸用一体成形コンクリートブロック。
【請求項３】
河川・港湾・湖沼の護岸壁を構築するために用いられる擬岩形状を有する一体成形コンクリートブロックであって、メッシュから成る透水袋内に水質浄化材を収容して浄化材パッケージを形成し、該浄化材パッケージは湿潤コンクリートを成形型の擬岩成形腔部内に型込めして擬岩コンクリートブロックを成形する際に該湿潤コンクリート内に投入されて上記一体成形コンクリートブロック内に埋設され、上記透水袋及び該透水袋内面と接する表層部の水質浄化材がメッシュを通し浸潤した上記湿潤コンクリートのセメント成分によって上記一体成形コンクリートブロックと一体結合した埋設構造を有し、上記水質浄化材が浄化材パッケージの透水袋を形成するメッシュを通しコンクリートブロックを透水せる水と接触する構造を有することを特徴とする護岸用一体成形コンクリートブロック。
【発明の詳細な説明】
【０００１】
【発明の属する技術分野】
本発明は河川・港湾・湖沼の護岸壁を構築するために用いられる一体成形コンクリートブロックに関する。
【０００２】
【従来の技術】
特開平９−２０６５２３号は粉末状木炭を不織布や織布等から成る透水袋内に収容し、該透水袋を中空構造にした透水性コンクリートブロック内に収容し、これを河川底内に敷設するようにした水質浄化コンクリートブロックを提供している。
【０００３】
そして上記コンクリートブロックを中空構造にする手段として、透水性容器と透水性蓋とを形成し、該容器に蓋を接着剤により接着して中空構造にし、該中空内に粉末状木炭を収容せる透水袋を封入する構造を採っている。
【０００４】
【発明が解決しようとする課題】
而して河川等の護岸ブロックとして一体成形コンクリートブロックが多用されているが、一体成形により上記コンクリートブロックを中空構造にすることは困難であり、上記従来例の如く容器に蓋体を閉合する構造を採らざるを得ない。
【０００５】
然しながらこの容器と蓋体にてコンクリートブロックを形成する設計仕様では、強度及び重量と施工性が求められる河川や港湾の護岸ブロックとしては実施し難く、コスト高となる問題を有している。
【０００６】
【課題を解決するための手段】
本発明は河川等の護岸壁の形成材として一体成形コンクリートブロックを使用しつつ、該一体成形コンクリートブロックに適正な水質浄化機能を具有せしめるようにした護岸用一体成形コンクリートブロックを提供することを目的としている。
【０００７】
要述すると、本発明は河川・港湾・湖沼の護岸壁を構築するために用いられる擬岩形状を有する一体成形コンクリートブロックにおいて、メッシュから成る透水袋内に水質浄化材を収容して浄化材パッケージを形成し、該浄化材パッケージは湿潤コンクリートを成形型の擬岩成形腔部内に型込めして擬岩コンクリートブロックを成形する際に該湿潤コンクリート内に投入されて上記一体成形コンクリートブロック内に埋設され、上記透水袋及び該透水袋内面と接する表層部の水質浄化材がメッシュを通し浸潤した上記湿潤コンクリートのセメント成分によって上記一体成形コンクリートブロックと一体結合した埋設構造を有し、該浄化材パッケージの透水袋を形成するメッシュの一部がコンクリートブロック表面に露出して水と直接接触する構造を有する。
【０００８】
他例として、上記擬岩形状を有する一体成形コンクリートブロックにおいて、上記メッシュから成る透水袋内に水質浄化材を収容して浄化材パッケージを形成し、該浄化材パッケージは湿潤コンクリートを該擬岩成形腔部内に型込めして擬岩コンクリートブロックを成形する際に該型込めされた湿潤コンクリートの上面に載置するか又は擬岩成形腔部の内面に沿い添設して上記一体成形コンクリートブロックの外表面に層着され、上記透水袋及び該透水袋内面と接する表層部の水質浄化材がメッシュを通し浸潤した上記湿潤コンクリートのセメント成分によって上記一体成形コンクリートブロックと一体結合した層着構造を有し、該浄化材パッケージの透水袋を形成するメッシュが該層着部以外の周面において水と直接接触する構造を有する。
【０００９】
更に他例として、上記擬岩形状を有する一体成形コンクリートブロックにおいて、上記メッシュから成る透水袋内に水質浄化材を収容して浄化材パッケージを形成し、該浄化材パッケージは湿潤コンクリートを成形型の擬岩成形腔部内に型込めして擬岩コンクリートブロックを成形する際に該湿潤コンクリート内に投入されて上記一体成形コンクリートブロック内に埋設され、上記透水袋及び該透水袋内面と接する表層部の水質浄化材がメッシュを通し浸潤した上記湿潤コンクリートのセメント成分によって上記一体成形コンクリートブロックと一体結合した埋設構造を有し、上記水質浄化材が浄化材パッケージの透水袋を形成するメッシュを通しコンクリートブロックを透水せる水と接触する構造を有する。
【００１０】
上記護岸用一体成形コンクリートブロックは同ブロックを一体成形しつつ、上記浄化材パッケージを湿潤コンクリート内に投入するか置き敷きするのみで容易に製造でき、護岸ブロックとしての適性を具有させつつ、水質浄化機能を適切に発揮せしめることができる。又製造が容易で安価である。
【００１１】
又浄化材パッケージを構成する透水袋に一体成形コンクリートブロックを組成するセメント成分が浸潤し結着して一体複合構造が容易に得られる。
【００１２】
総じて一体成形コンクリートブロックを所期の目的である護岸ブロックとして機能させつつ、水質浄化機能を適切に発揮させることができる。
【００１３】
【発明の実施の形態】
以下本発明の実施の形態を図１乃至図８に基づいて説明する。本発明は河川・港湾・湖沼の護岸壁を構築するために用いられる一体成形コンクリートブロックであり、図１に示すように、該一体成形コンクリートブロック１は上記河川等の立ち上げ岸面２に沿い多段に積み上げて護岸壁を構築する。
【００１４】
自然環境の醸成の目的から、この一体成形コンクリートブロック１は自然岩を模したブロック形状、即ち擬岩形状（玉石形状を含む）にする。河川等の水６は擬岩形状のコンクリートブロック１の凹凸面と接して流れ、自然な流れを醸成し、魚の生息環境を作るのに役立つ。
【００１５】
図２に示すように、上記一体成形コンクリートブロック１内に、水質浄化材３を収容せる浄化材パッケージ５を埋設する。
【００１６】
図６Ａ，Ｂに示すように、メッシュから成る透水袋４内に水質浄化材３を収容して上記浄化材パッケージ５をボール形又はマット形に形成する。
【００１７】
上記水質浄化材３は水反応性の酸素発生材であり、該酸素発生材は過酸化カルシウムを主成分とする長期持続性の固形酸素発生材であり、例えば株式会社サンソが一番（大阪市北区梅田２丁目５番４号）で製造せる長期持続性固形酸素発生材（商品名：サンソが一番）を用いる。
【００１８】
又は上記水質浄化材３として酵素（又は酵素発酵ミネラル）を用いる。又はこの酵素（又は酵素発酵ミネラル）と上記酸素発生材とを混合して上記透水袋４内に収容する。
【００１９】
又は上記水質浄化材３として、前記従来例において用いられている木炭の他、竹炭を用いる。
【００２０】
上記酸素発生材及び酵素（又は酵素発酵ミネラル）並びに木炭、竹炭は粗粒子の状態で上記メッシュ等から成る透水袋４内に保有せしめる。
【００２１】
上記酵素は脱水素作用、脱塩素作用、脱炭酸作用等に優れた働きがあり、これら強力な脱作用により、汚濁水内での汚濁成分の分子結合の切断や分子の組み換えを促進して分解し、自然回帰条件を整え水質浄化を図る。
【００２２】
上記酵素は大別して植物性酵素と動物性酵素が存するが、入手性と経済性から植物性酵素が有用である。この植物性酵素は発酵によって抽出し、これにゼオライト等のミネラルの粗粒子を混合して再度発酵したものを用いる。
【００２３】
図５に示すように、上記浄化材パッケージ５を一体成形コンクリートブロック１内に埋設した状態において、該浄化材パッケージ５の透水袋４に上記コンクリートブロック１のセメント成分が浸潤して同ブロック１と一体結合した埋設構造を有し、図２に示すように、該浄化材パッケージ５の透水袋４の一部をコンクリートブロック１の表面に露出し、該露出部７において水６と直接接触する構造を有する。
【００２４】
河川等の水６は図１の護岸形成状態において、浄化材パッケージ５の透水袋４と直接接して流れ、該透水袋４を通水した水６は収容されている水質浄化材３に浸入し、浄水機能を発揮する。
【００２５】
他例として図３に示すように、上記一体成形コンクリートブロック１の外表面に、水質浄化材３を透水袋４内に収容せる浄化材パッケージ５を層着し、該浄化材パッケージ５の透水袋４に上記コンクリートブロック１のセメント成分が浸潤して同ブロック１と一体結合した層着構造にする。
【００２６】
例えば図６Ｂに示すように、上記浄化材パッケージ５を薄平なマット形に形成し、上記一体成形コンクリートブロック１の外表面に層着する。
【００２７】
この護岸用一体成形コンクリートブロックにおいては、上記層着浄化材パッケージ５の透水袋４が該層着部以外の広い表面において水６と直接接触する構造を有する。
【００２８】
図３に実線示するように、上記浄化材パッケージ５は擬岩形状に付形した一体成形コンクリートブロック１の頂面に層着するか、又は同図に破線示するように、ブロック１の側面（隣接するブロック１と対向する面）に層着する。
【００２９】
又は上記一体成形コンクリートブロック１の河川等の立ち上げ岸面２と接する底面に層着する。
【００３０】
浄化材パッケージ５を一体成形コンクリートブロック１の頂面や側面に層着した場合、河川等の水６は図１の護岸形成状態において透水袋４と直接接して流れ、該透水袋４を通水した水６は収容されている水質浄化材３に浸入し、浄水機能を発揮する。
【００３１】
又浄化材パッケージ５を一体成形コンクリートブロック１の底面に層着した場合、河川等の水６は同底面に回り込み、透水袋４と直接接触し上記浄水機能を発揮する。
【００３２】
上記透水袋４と水質浄化材３に関する酸素発生材、酵素（又は酵素発酵ミネラル）、木炭と竹炭に関する図２の実施形態における説明は図３の実施形態においても援用する。
【００３３】
更に他例として図４に示すように、上記一体成形コンクリートブロック１内に水質浄化材３を透水袋４内に収容せる浄化材パッケージ５を埋設し、該浄化材パッケージ５の透水袋４に上記コンクリートブロック１のセメント成分が浸潤して同ブロック１と一体結合した埋設構造にする。
【００３４】
上記浄化材パッケージ５は透水袋４がコンクリートブロック１を透水せる水６と接触する。即ち河川等の水６は図１の護岸形成状態において、コンクリートブロック１を透水し、浄化材パッケージ５の透水袋４と接触し、該透水袋４を通水した水６は収容されている水質浄化材３に浸入し、浄水機能を発揮する。
【００３５】
上記一体成形コンクリートブロック１は前記従来例と同様、透水性の良好な多気孔構造のポーラスコンクリート又は密度の高い非ポーラスコンクリートを用いる。
【００３６】
上記水質浄化材３として酸素発生材又は酸素発生材と酵素又は酸素発生材と炭材を用いた場合、密度の高い非ポーラスコンクリートを用い、該コンクリートの水分が透水袋４を通し酸素発生材の表層部と接触して酸素を発生し、この酸素が一体成形コンクリートブロック１の母材内を通過して外部へ放出され、これにより一体成形コンクリートブロック１内に該酸素放出による気孔８を形成する。
【００３７】
河川等の水６はこの気孔８を通し浸入して上記浄化材パッケージ５内へ透水し、気孔８がコンクリートブロック１内への透水を助長する。
【００３８】
上記浄化材パッケージ５は表層部の水質浄化材３がコンクリートの水分によって部分的に反応し、深部の水質浄化材３は健全に維持され、河川等の水６との反応に備える。
【００３９】
上記透水袋４と水質浄化材３に関する酸素発生材、酵素（又は酵素発酵ミネラル）、木炭と竹炭に関する図２の実施形態における説明は図４の実施形態においても援用する。
【００４０】
上記図４に示す護岸用一体成形コンクリートブロックは図７Ａに示すように、成形型９の擬岩形状を成形する成形腔部１０内に湿潤コンクリート１′を浅く一次型込めし、次いで該一次湿潤コンクリート１′の上面に上記浄化材パッケージ５を投入し、即ち一次湿潤コンクリート１′の上面に載置し、次いで図７Ｂに示すように、上記一次湿潤コンクリート１′上に二次湿潤コンクリート１″を型込めし、上記浄化材パッケージ５を一次と二次湿潤コンクリート１′，１″内に埋設する。
【００４１】
図５に示すように、上記一次と二次湿潤コンクリート１′，１″のセメント成分を含む水分が上記透水袋４に浸潤し、該透水袋４を通して該透水袋４の内面と接する表層部の水質浄化材３内に浸潤し、その部分反応を促すと共に、コンクリートの硬化によって透水袋４がセメント成分により一体成形コンクリートブロック１内に一体埋設構造となる。
【００４２】
同時に該透水袋４の内面と接する表層部の水質浄化材３が上記湿潤セメント成分により一体成形コンクリート１内に一体埋設構造となる。図５中のＳはこのセメント成分の湿潤領域（一体埋設領域）を示している。
【００４３】
上記一体埋設構造は図２に示す浄化材パッケージ５の一部を露出状態に埋設した実施形態においても同様である。又図３に示す浄化材パッケージ５を層着した実施形態においてもその層着面において、図５に示す上記一体成形コンクリート１のセメント成分と一体に結着した層着構造が得られる。
【００４４】
即ち図５は図２，図３，図４の実施形態に共通する浄化材パッケージ５と一体成形コンクリートブロック１の結合構造を示している。
【００４５】
図２に示す護岸用一体成形コンクリートブロックは一体成形コンクリートブロック１内に浄化材パッケージ５を埋設する点で図４の実施形態と同様であり、該浄化材パッケージ５を図７に示す如く湿潤コンクリート１′内に埋設するに際し、成形腔部１０の内壁面に接するように型込めし、その上で湿潤コンクリート１″を同腔部１０内に充填する。
【００４６】
これによって浄化材パッケージ５の一部、即ち透水袋４の一部が一体成形コンクリートブロック１の外面に露出する構造にする。
【００４７】
又図３に示す浄化材パッケージ５を一体成形コンクリートブロック１の表面に層着する場合には、図８に示すように、浄化材パッケージ５を擬岩成型腔部１０の内面に沿い添設し、その上で湿潤コンクリートを充填する。
【００４８】
又は浄化材パッケージ５を一体成形コンクリートブロック１の底面に層着する場合には、成形腔部１０内に湿潤コンクリートを充填して一体成形コンクリートブロック１を成形した後、該湿潤コンクリートの上面に図８に破線で示す浄化材パッケージ５を載置して硬化を促す。これによってコンクリートのセメント成分が浄化材パッケージ５の透水袋４内に浸潤して一体に結合し、層着構造が得られる。
【００４９】
上記各例の護岸用一体成形コンクリートブロックは図１に示す護岸壁の一部又は全部に使用する。
【００５０】
【発明の効果】
本発明によれば、一体成形コンクリートブロックに適量の水質浄化材を保有せしめて、同ブロックに護岸壁形成材としての適性を具有させつつ、水質浄化機能を適切に発揮せしめることができる。
【００５１】
又コンクリートブロックの一体成形に際し、上記浄化材パッケージを湿潤コンクリート内に投入するか置き敷きするのみで容易に製造でき、構造簡素で安価なる護岸用一体成形コンクリートブロックを提供できる。
【００５２】
又浄化材パッケージを構成する透水袋に一体成形コンクリートブロックを組成するセメント成分が浸潤し結着して一体複合構造が容易に得られる。
【００５３】
総じて一体成形コンクリートブロックを所期の目的である護岸ブロックとして機能させつつ、水質浄化機能を適切に発揮させることができる。
【図面の簡単な説明】
【図１】護岸用一体成形コンクリートブロックを用いて河川等の護岸壁を構築した場合を示す断面図。
【図２】上記護岸用一体成形コンクリートブロックの第１実施形態を示す断面図。
【図３】上記護岸用一体成形コンクリートブロックの第２実施形態を示す断面図。
【図４】上記護岸用一体成形コンクリートブロックの第３実施形態を示す断面図。
【図５】上記各実施形態における一体成形コンクリートブロックと浄化材パッケージとの結合構造を説明する要部断面図。
【図６】Ａは浄化材パッケージをボール形にした例を示す側面図、Ｂは同パッケージをマット形にした例を示す側面図。
【図７】Ａ，Ｂは第３，第１実施形態に係る護岸用一体成形コンクリートブロックの成形法を説明する断面図。
【図８】第２実施形態に係る護岸用一体成形コンクリートブロックの成形法を説明する断面図。
【符号の説明】
１…一体成形コンクリートブロック、１′…一次湿潤コンクリート、１″…二次湿潤コンクリート、２…立ち上げ岸面、３…水質浄化材、４…透水袋、５…浄化材パッケージ、６…水、７…露出部、８…気孔、９…成形型、１０…成形腔部、Ｓ…透水袋及びこれに接する水質浄化材表層部の埋設領域
【図１】
0003633903.tif 000002
【図２】
0003633903.tif 000003
【図３】
0003633903.tif 000004
【図４】
0003633903.tif 000005
【図５】
0003633903.tif 000006
【図６】
0003633903.tif 000007
【図７】
0003633903.tif 000008
【図８】
0003633903.tif 000009